(57)【特許請求の範囲】
【請求項１】
警報を表示する警報表示部を備える酸素濃縮装置であって、
前記警報表示部が表示する警報に対応する対処情報を格納する対処情報格納部と、
前記対処情報を音声で出力する音声出力部と、を備え、
前記警報表示部の少なくとも一部を操作することで、前記対処情報を前記音声出力部から出力させるためのスイッチ部を動作させる構成となっており、
前記警報表示部は、警報の種類毎に別個独立して配置され、
前記警報の種類は、その重大性に基づき優先順位が定められ、より重大な前記警報の種類の前記警報表示部の警報を優先的に動作させ、他の前記警報を動作させない構成となっていることを特徴とする酸素濃縮装置。
【請求項２】
前記警報表示部に警報が表示される際に、警報が表示されたことを示す警報表示音声情報が前記音声出力部より出力されることを特徴とする請求項１に記載の酸素濃縮装置。
【請求項３】
警報を表示する警報表示部を備える酸素濃縮装置の警報報知方法であって、
前記警報表示部が表示する警報に対応する対処情報を格納する対処情報格納部と、
前記対処情報を音声で出力する音声出力部と、を備え、
前記警報表示部の少なくとも一部を操作することで、前記対処情報を前記音声出力部から出力させるためのスイッチ部を動作させ、
前記警報表示部は、警報の種類毎に別個独立して配置され、
前記警報の種類は、その重大性に基づき優先順位が定められ、より重大な前記警報の種類の前記警報表示部の警報を優先的に動作させ、他の前記警報を動作させない構成となっていることを特徴とする酸素濃縮装置の警報報知方法。
【発明の詳細な説明】
【技術分野】
【０００１】
本発明は、空気中から酸素を分離生成する酸素濃縮装置及び酸素濃縮装置の警報報知方法に関する。
【背景技術】
【０００２】
肺に疾病を抱える患者が高濃度の酸素を吸引するために使用する酸素濃縮器は種々提案されており、大気の一部を用いてコンプレッサにより圧縮空気を作り、該圧縮された空気を吸着用の筒体内部に送り込み、該吸着筒体内の吸着剤に窒素を吸着させることにより生成した酸素を、鼻カニューラを用いて、患者に摂取させる比較コンパクトな酸素濃縮装置が知られている。
このような酸素濃縮装置は、多くの機械部品等から成るため動作不良等が生じるおそれがあった。また、使用者等の使用上の操作間違い等によっても不具合が生じるおそれがあった。
そこで、従来は、このような動作不良や不具合が発生した場合、ディスプレイにアラームを表示したり、ブザー等の音声を発生させたりすることで、使用者等に、その不具合等の発生を報知していた（例えば、特許文献１）。
このため、このアラーム表示を視認し、ブザー等を聞いた使用者等は、取扱説明書を参照して、その不具合等に対処することとなっていた。
【先行技術文献】
【特許文献】
【０００３】
【特許文献１】特開２００１−９５９２０号公報
【発明の概要】
【発明が解決しようとする課題】
【０００４】
しかし、実際にアラーム表示を視認し、ブザー等を聞いた使用者等が、このアラームに対処しようとして、取扱説明書を参照しても、その対処方法が分からず、その都度、電話等で専門家等に対処方法等を尋ねなければならないという問題があった。
【０００５】
そこで、本発明は、動作等の不具合等が発生した場合、警報を表示部に表示すると共に、その表示部を操作することで、その警報の対処方法を音声で案内させることができる酸素濃縮装置及び酸素濃縮装置の警報報知方法を提供することを目的とする。
【課題を解決するための手段】
【０００６】
前記課題は、本発明によれば、警報を表示する警報表示部を備える酸素濃縮装置であって、前記警報表示部が表示する警報に対応する対処情報を格納する対処情報格納部と、前記対処情報を音声で出力する音声出力部と、を備え、前記警報表示部の少なくとも一部を操作することで、前記対処情報を前記音声出力部から出力させるためのスイッチ部を動作させる構成となっており、前記警報表示部は、警報の種類毎に別個独立して配置され、前記警報の種類は、その重大性に基づき優先順位が定められ、より重大な前記警報の種類の前記警報表示部の警報を優先的に動作させ、他の前記警報を動作させない構成となっていることを特徴とする酸素濃縮装置により達成される。
【０００７】
前記構成によれば、警報表示部が表示する警報に対応する対処情報を格納する対処情報格納部と、対処情報を音声で出力する音声出力部と、を備え、警報表示部の少なくとも一部を操作することで、前記対処情報を前記音声出力部から出力させるためのスイッチ部を動作させる構成となっている。
このため、使用者は、警報が表示されている警報表示部を操作、例えば、押下等することで、その警報の対処する対処情報を音声情報で取得することができる。したがって、警報を見た使用者は、従来のように、電話等で専門家に対処方法を尋ねたり、自分で取扱説明書を参照したりすることなく、その対処方法を迅速に取得することができる。
また、前記構成によれば、警報表示部は、警報の種類毎に別個独立して配置されているので、警報表示部が表示した警報の種類を迅速に把握でき、その対処方法も迅速に取得することができる。
【０００８】
好ましくは、前記警報表示部に警報が表示される際に、警報が表示されたことを示す警報表示音声情報が前記音声出力部より出力されることを特徴とする酸素濃縮装置である。
【０００９】
前記構成によれば、警報表示部に警報が表示される際に、警報が表示されたことを示す警報表示音声情報が前記音声出力部より出力されるので、使用者は、その警報が表示されたことを必ず認識することができ、警報を見逃すことを未然に防ぐことができる。
【００１２】
前記課題は、本発明によれば、警報を表示する警報表示部を備える酸素濃縮装置の警報報知方法であって、前記警報表示部が表示する警報に対応する対処情報を格納する対処情報格納部と、前記対処情報を音声で出力する音声出力部と、を備え、前記警報表示部の少なくとも一部を操作することで、前記対処情報を前記音声出力部から出力させるためのスイッチ部を動作させることを特徴とする酸素濃縮装置の警報報知方法により達成される。
【発明の効果】
【００１３】
以上説明したように、本発明によれば、動作等の不具合等が発生した場合、警報を表示部に表示すると共に、その表示部を操作することで、その警報の対処方法を音声で案内させることができる酸素濃縮装置及び酸素濃縮装置の警報報知方法を提供することができる。
【図面の簡単な説明】
【００１４】
【図１】本実施の形態に係る酸素濃縮装置及びその操作部を示す概略図である。
【図２】酸素濃縮装置の内部構成等を示す概略ブロック図である。
【図３】第１の記憶部に格納されるデータ等を示す概略ブロック図である。
【図４】第２の記憶部に格納されるデータ等を示す概略ブロック図である。
【図５】本実施の形態にかかる酸素濃縮装置の警報報知方法等を示す概略フローチャートである。
【図６】本実施の形態にかかる酸素濃縮装置の警報報知方法等を示す他の概略フローチャートである。
【発明を実施するための形態】
【００１５】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１６】
図１は、本実施の形態に係る酸素濃縮装置１及びその操作部２を示す概略図である。
図１に示す酸素濃縮装置１は、大気の一部を用いてコンプレッサにより圧縮空気を作り、該圧縮された空気を吸着用の筒体内部に送り込み、該吸着筒体内の吸着剤に窒素を吸着させることにより生成した酸素を生成する装置であり、このように生成された酸素を、図示しない鼻カニューラ等を用いて、患者に摂取させる構成となっている。
【００１７】
また、図１の操作部２の右端側には、酸素流量設定ボタン３ａ、３ｂが配置され、この酸素流量設定ボタン３ａ、３ｂを操作することで、酸素濃縮装置１が生成する酸素の流量を設定することができる構成となっている。
具体的には、上下矢印を印刷した酸素流量設定ボタン３ａ、３ｂは、９０％程度以上に濃縮された酸素を毎分当たり０．２５Ｌ(リットル)から最大で５Ｌまで０．２５Ｌ段階または０．０１Ｌ段階で押圧操作する度に酸素流量が設定できる。
そして、設定された流量は、酸素流量表示部３ｃに表示させることができる構成となっている。
【００１８】
また、操作部２の左端側には、電源スイッチ４が形成されている。この電源スイッチ４の右側には、チューブアラーム兼ガイドスイッチ５、電源アラーム兼ガイドスイッチ６、加湿瓶アラーム兼ガイドスイッチ７及び要連絡アラーム兼ガイドスイッチ８が並んで配置されている。これらチューブアラーム兼ガイドスイッチ５、電源アラーム兼ガイドスイッチ６、加湿瓶アラーム兼ガイドスイッチ７及び要連絡アラーム兼ガイドスイッチ８の具体的構成等については、後述する。
また、要連絡アラーム兼ガイドスイッチ８の下方には、酸素濃度が低下したことを報知する酸素濃度低下表示部９が配置されている。
要連絡アラーム兼ガイドスイッチ８の右側には、充電状態を表示する充電表示部１０が配置されている。
【００１９】
図２は、酸素濃縮装置１の内部構成等を示す概略ブロック図である。酸素濃縮装置１は、コンピュータを備えており、このため、酸素濃縮装置１は、図２に示す、メイン制御ＣＰＵ（Ｃｅｎｔｒａｌ  Ｐｒｏｃｅｓｓｉｎｇ  Ｕｎｉｔ）１１の他、図示しないＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）等を有している。このため、メイン制御ＣＰＵ１１は、図２に示す第１の記憶部３０や第２の記憶部５０と接続されている。
図３は、第１の記憶部３０に格納されるデータ等を示す概略ブロック図であり、図４は、第２の記憶部５０に格納されるデータ等を示す概略ブロック図である。
図２乃至図４に示す第１の記憶部３０及び第２の記憶部５０は、説明の便宜上、分けて記載したが、実際にこのようにデータ等を分割して格納することを示すものではない。
【００２０】
ところで、図２に示すように、酸素濃縮装置１は、外部から空気を取り入れる空気取入口１２を有している。このように取り入れられた空気は、気体圧縮機である例えば、コンプレッサ１３で圧縮等される構成となっている。そして、このコンプレッサ１３は、モータ１４と接続され、このモータ１４によって駆動する構成となっている。
なお、コンプレッサ１３には、温度測定部（温度計）１５が備わっている。
さらに、モータ１４の回転数データ及び温度測定部１５の温度データは、メイン制御ＣＰＵ１１に入力される構成ともなっている。
【００２１】
コンプレッサ１３で圧縮された圧縮空気は、図２に示す２つの切換弁１６ａ、１６ｂ（電磁弁、３方弁）を介して、第１吸着筒体１７ａ及び第２吸着筒体１７ｂにそれぞれ交互に供給されることになる。
これら第１吸着筒体１７ａ及び第２吸着筒体１７ｂ内には、ゼオライト等の触媒吸着剤が配置されており、このゼオライトにより圧縮空気中の窒素が吸着され、これにより、高濃度の酸素が生成される構成となっている。
これら切換弁１６ａ、１６ｂは、図２に示すように、メイン制御ＣＰＵ１１に接続されており、メイン制御ＣＰＵ１１によりその開閉等が制御される構成となっている。
【００２２】
また、このように、第１吸着筒体１７ａ及び第２吸着筒体１７ｂで生成された高濃度の酸素（例えば、９０％程度以上）は、図２のバッファ（貯蔵容器）１８に貯蔵される。
このバッファ１８に貯蔵されている高濃度の酸素は、図２に示す流量圧力調整器１９で圧力が一定に自動調整される構成となっている。
また、流量圧力調整器１９と共に配置されている図２に示す濃度センサ２０によって、酸素の濃度が計測される構成ともなっている。
なお、この流量圧力調整器１９及び温度センサ２０は、図２に示すように、メイン制御ＣＰＵ１１と接続されており、流量圧力調整器１９の第１の流量データ及び圧力データ、そして、温度センサ２０の濃度データは、メイン制御ＣＰＵ１１に入力される構成となっている。
【００２３】
図２の流量圧力調整器１９で圧力が調整された酸素は、図２に示す脱着式加湿器２１に導入される。
この脱着式加湿器２１は、酸素を加湿するためのものである。バッファ１８に蓄えられた高濃度の酸素は、水分が失われているため、この脱着式加湿器２１で加湿された後、患者等の使用者に供給される構成となっている。
脱着式加湿器２１で加湿された酸素は、図２の流量センサ２２で流量が計測された後、外部へ排出される。この流量センサ２２が測定した第２の流量データは、メイン制御ＣＰＵ１１に入力される。
【００２４】
一方、図２に示すように、切換弁１６ａ、１６ｂには、排気口２３が接続されており、この排気口２３から排気が可能な構成となっている。
また、図２に示すように、上述した電源スイッチ４、酸素流量設定ボタン３ａ、３ｂ及びスピーカ等の音声出力装置２４もメイン制御ＣＰＵ１１に接続されている。
なお、この音声出力装置２４は、音声出力部の一例である。また、図２の電源スイッチ４には、プラグ２５が接続されている。
【００２５】
図２のチューブアラーム兼ガイドスイッチ５は、チューブアラーム表示部５ａとチューブアラームガイドスイッチ５ｂを有している。
チューブアラーム表示部５ａは、例えば、図１のチューブが折れ曲がった絵等が表示されている部分及びその裏面側に配置されたランプ等を含む構成となっており、このランプ等が点灯乃至消灯することで、チューブアラームを表示乃至非表示とする構成となっている。
また、チューブアラームガイドスイッチ５ｂは、図１のチューブが折れ曲がった絵等が表示されている部分の裏面側に配置され、このチューブが折れ曲がった絵等を押下することで、スイッチがＯＮする構成となっている。
【００２６】
また、電源アラーム兼ガイドスイッチ６は、電源アラーム表示部６ａと電源アラームガイドスイッチ６ｂを有している。
電源アラーム表示部６ａは、例えば、図１のプラグの絵等が表示されている部分及びその裏面側に配置されたランプ等を含む構成となっており、このランプ等が点灯乃至消灯することで、電源アラームを表示乃至非表示とする構成となっている。
また、電源アラームガイドスイッチ６ｂもまた、図１のプラグの絵等が表示されている部分の裏面側に配置され、このプラグの絵等を押下することで、スイッチがＯＮする構成となっている。
【００２７】
加湿瓶アラーム兼ガイドスイッチ７は、加湿瓶アラーム表示部７ａと加湿瓶アラームガイドスイッチ７ｂを有している。
加湿瓶アラーム表示部７ａは、例えば、図１の加湿瓶の絵等が表示されている部分及びその裏面側に配置されたランプ等を含む構成となっており、このランプ等が点灯乃至消灯することで、加湿瓶アラームを表示乃至非表示とする構成となっている。
また、加湿瓶アラームガイドスイッチ７ｂもまた、図１の加湿瓶の絵等が表示されている部分の裏面側に配置され、この加湿瓶の絵等を押下することで、スイッチがＯＮする構成となっている。
【００２８】
要連絡アラーム兼ガイドスイッチ８は、加湿瓶アラーム表示部８ａと加湿瓶アラームガイドスイッチ８ｂを有している。
要連絡アラーム表示部８ａは、例えば、図１の受話器の絵等が表示されている部分及びその裏面側に配置されたランプ等を含む構成となっており、このランプ等が点灯乃至消灯することで、要連絡アラームを表示乃至非表示とする構成となっている。
また、要連絡アラームガイドスイッチ８ｂもまた、図１の受話器の絵等が表示されている部分の裏面側に配置され、この受話器の絵等を押下することで、スイッチがＯＮする構成となっている。
【００２９】
そして、これらチューブアラーム表示部５ａ等やチューブアラームガイドスイッチ５ｂ等は、図２に示すように、メイン制御ＣＰＵ１１に接続されている。
これらチューブアラーム表示部５ａ等が、警報表示部の一例であり、チューブアラームガイドスイッチ５ｂ等がスイッチ部の一例となっている。
【００３０】
図５及び図６は、本実施の形態にかかる酸素濃縮装置１の警報報知方法等を示す概略フローチャートである。
以下、図５及び図６のフローチャートに沿って、酸素濃縮装置１の動作等を説明しながら図３及び図４の構成等について説明する。
【００３１】
先ず、使用者が図２の酸素濃縮装置１のプラグ２５をコンセントに差し込み、図１及び図２の電源スイッチ４をオン（ＯＮ）状態にして、酸素濃縮装置１を駆動させる。
すると、ＳＴ１で、酸素濃縮装置１は、第２流量データ、圧力値データ、電源スイッチデータ、電圧データ、モータ回転数データ、温度データ、酸素濃度データを取得する。
具体的には、図３の各種データ取得部（プログラム）３１が動作し、図２の流量センサ２２から第２流量データ、図２の流量圧力調整器１９から圧力値データ、図２の電源スイッチ４から電源スイッチデータ、図２のプラグ２５から電圧データ、図２のモータ１４からモータ回転数データ、図２の温度測定部１５から温度データ、そして、図２の濃度センサ２０から酸素濃度データを取得する。
そして、取得した第２流量データ、圧力値データ、電源スイッチデータ、電圧データ、モータ回転数データ、温度データ、及び酸素濃度データをそれぞれ、図４の第２流量データ格納部５１、圧力値データ格納部５２、電源スイッチデータ格納部５３、電圧データ格納部５４、モータ回転数データ格納部５５、温度データ格納部５６及び酸素濃度データ格納部５７に格納する。
【００３２】
次いで、ＳＴ２乃至ＳＴ５に進む。本実施の形態では、ＳＴ２乃至ＳＴ５は、例えば、それぞれ並列的に処理される。しかし、これらは、順番に処理されても構わない。
ＳＴ２では、モータ回転数データ及び圧力値が「０」で、温度データが１００℃以上、酸素濃度が８２％以下のいずれかであるかが判断される。
具体的には、図３の要連絡アラーム判断部（プログラム）３５が動作して、図４のモータ回転数データ格納部５５のモータ回転数データ、圧力値データ格納部５２の圧力値データ、温度データ格納部５６の温度データ及び酸素濃度データ格納部５７の酸素濃度データを参照して判断する。
ＳＴ２で、モータ回転数データ及び圧力値データが「０」で、温度データが１００℃以上、酸素濃度データが８２％以下のいずれかであると判断された場合は、酸素濃縮装置１に大きな故障等の不具合等が発生していると判断し、ＳＴ６へ進む。
【００３３】
ＳＴ６では、要連絡アラームランプを点灯させると共にブザー音を出力する。具体的には、要連絡アラーム判断部（プログラム）３５が動作し、図２の要連絡アラーム表示部８ａのランプ等を点灯させると共に、音声出力装置２４からブザー音やチャイム音等を出力する。
また、酸素濃度データが８２％以下のときは、酸素濃度が低下しているため、図１の酸素濃度低下表示部９に配置されたランプ等が点灯し、酸素濃度低下表示部９も点灯する。
【００３４】
このように、酸素濃縮装置１の使用者は、ブザー音によって装置に不具合等が発生したことを察知することができる。また、使用者は、図１の操作部２の点灯している要連絡アラーム表示部８ａを視認することで、酸素濃縮装置１に不具合が生じていること確認することができる。
【００３５】
次いで、ＳＴ１３へ進む。ＳＴ１３では、要連絡アラームガイドスイッチ８ｂが押下されたか否かが判断される。
具体的に、要連絡アラーム判断部（プログラム）３５が動作し、図２の要連絡アラームガイドスイッチ８ｂが押下され、オン（ＯＮ）状態となったか否かが判断される。
要連絡アラームガイドスイッチ８ｂは、上述のように、図１の受話器の絵等の部分を使用者が押下げると、スイッチがオン（ＯＮ）状態となる構成となっている。
したがって、ＳＴ１３では、使用者が、図１の受話器の絵等の部分を押下げたか否かが判断されることになる。
【００３６】
ＳＴ１３で、要連絡アラームガイドスイッチ８ｂがオン（ＯＮ）状態となると、ＳＴ１７へ進み、音声出力装置２４から電源アラームガイダンス音声を出力する。
具体的には、要連絡アラームガイドスイッチ８ｂがオン（ＯＮ）状態となると、図３の音声出力判断部（プログラム）３６が動作し、図４の要連絡アラームガイダンスガイダンス音声データ格納部６１内のデータを参照して、そのデータ内容を図２の音声出力装置２４から音声として出力する。
この要連絡アラームガイダンス音声データとしては、例えば「装置が故障しました。緊急連絡先、０１２０−ｘｘｘ−ｘｘｘに電話してください。機種名は酸素濃縮器Ａです。」等である。
したがって、この音声を聞いた使用者は、酸素濃縮装置１の不具合等の対処方法を迅速に知ることができ、ガイダンスに従って電話することで、容易且つ迅速にその対処方法を教示してもらうことができる。
【００３７】
このように、ＳＴ６で、要連絡アラームランプ及び酸素濃度低下表示部９の点灯を視認して、不具合等の箇所を把握できた使用者は、従来のように、取扱説明書等を調べたり、電話等で専門家等に尋ねたりすることなく、単に、点灯している要連絡アラーム表示部８ａの表面を押下するだけで、その対処方法を音声ガイダンスで取得することができる。
【００３８】
次いで、ＳＴ２１で、ＳＴ１と同様に流量データ等を取得し、ＳＴ２２でＳＴ２と同様の判断をし、モータ回転数データ及び圧力値が「０」で、温度データが１００℃以上、酸素濃度が、８２％以下のいずれにも該当しない場合は、すでに不具合等の状態を脱したと判断し、ＳＴ２６で、要連絡アラームランプを消灯させて、終了する。これは、要連絡アラーム判断部（プログラム）３５等が動作して実行される。
【００３９】
一方、ＳＴ３では、電源スイッチがオン（ＯＮ）で、電圧データが５０Ｖ以下であるか否かが判断される。
具体的には、図３の電源アラーム判断部（プログラム）３３が動作し、図４の電源スイッチデータ格納部５３の電源スイッチデータと、電圧データ格納部５４の電圧データを参照して判断する。
ＳＴ３で、電源スイッチがオン（ＯＮ）で、電圧データが５０Ｖ以下であると判断された場合は、図のプラグ２５やブレーカー等の不具合等が発生していると判断し、ＳＴ７へ進む。
【００４０】
ＳＴ７では、ＳＴ６の要連絡アラームランプが点灯しているか否かが判断される。
具体的には、図３の電源アラーム判断部（プログラム）３３が動作し、図２の要連絡アラーム表示部８ａのランプ等が点灯しているか否かを判断する。
そして、図２の要連絡アラーム表示部８ａのランプ等が点灯していない場合は、ＳＴ１０１０へ進み、要連絡アラーム表示部８ａのランプ等が点灯している場合は、ＳＴ３へ戻る。
【００４１】
ＳＴ１０では、電源アラームランプを点灯させると共にブザー音を出力する。具体的には、電源アラームを判断部（プログラム）３３が動作し、図２の電源アラーム表示部６ａのランプ等を点灯させると共に、音声出力装置２４からブザー音やチャイム音等を出力する。
【００４２】
このとき、酸素濃縮装置１の使用者は、ブザー音によって酸素濃縮装置１に不具合等が発生したことを察知することができる。また、使用者は、図１の操作部２の点灯している電源アラーム表示部６ａを視認することで、プラグ２５等に不具合が生じていること確認することができる。
【００４３】
このように、本実施の形態では、ＳＴ３でプラグ２５等に不具合等が発生していると判断した場合でも、より重大な不具合等が生じていることを示す要連絡アラーム表示部８ａが点灯している場合は、図２の電源アラーム表示部６ａのランプ等が点灯しない構成となっている。
すなわち、利用者等は同時に複数のアラームランプ等が点灯すると混乱し、その後の対処を冷静に行うことができなくなるおそれがある。特に、本実施の形態の酸素濃縮装置１の利用者は患者等であることから、その対処を間違うと重大な結果が生じることがあり得る。
そこで、本実施の形態では、利用者が、ＳＴ１０の電源アラーム点灯等の場合より、より重大な不具合等が発生している要連絡アラームランプ等に対処できるように、敢えて、電源アラーム表示部６ａのランプ等を点灯しない構成としている。
これにより、患者等の利用者は、冷静に適切な対処をすることができる。
【００４４】
次いで、ＳＴ１４へ進む。ＳＴ１４では、電源アラームガイドスイッチ６ｂが押下されたか否かが判断される。
具体的に、電源アラーム判断部（プログラム）３３が動作し、図２の電源アラームガイドスイッチ６ｂが押下され、オン（ＯＮ）状態となったか否かが判断される。
電源アラームガイドスイッチ６ｂは、上述のように、図１のコンセントの絵等の部分を使用者が押下げると、スイッチがオン（ＯＮ）状態となる構成となっている。
したがって、ＳＴ１４では、使用者が、図１のコンセントの絵等の部分を押下げたか否かが判断されることになる。
【００４５】
ＳＴ１４で、電源アラームガイドスイッチ６ｂがオン（ＯＮ）状態となると、ＳＴ１８へ進み、音声出力装置２４から電源アラームガイダンス音声を出力する。
具体的には、電源アラームガイドスイッチ６ｂがオン（ＯＮ）状態となると、図３の音声出力判断部（プログラム）３６が動作し、図４の電源アラームガイダンス音声データ格納部５９内のデータを参照して、そのデータ内容を図２の音声出力装置２４から音声として出力する。
この電源アラームガイダンス音声データとしては、例えば「電源コンセント（プラグ２５）とブレーカーを確認してください。」等である。
したがって、この音声を聞いた使用者は、酸素濃縮装置１の不具合等の対処方法を迅速に知ることができることになる。
【００４６】
このように、ＳＴ１０で、電源アラームランプの点灯を視認して、不具合等の箇所を把握できた使用者は、従来のように、取扱説明書等を調べたり、電話等で専門家等に尋ねたりすることなく、単に、点灯している電源アラーム表示部６ａの表面を押下するだけで、その対処方法を音声ガイダンスで取得することができる。
【００４７】
次いで、ＳＴ２１で、ＳＴ１と同様に流量データ等を取得し、ＳＴ２３でＳＴ３と同様の判断をし、電源スイッチがオン（ＯＮ）で、電圧データが５０Ｖ以下ではない場合は、すでに不具合等の状態を脱したと判断し、ＳＴ２７で、電源アラームランプを消灯させて、終了する。これは、電源アラーム判断部（プログラム）３３等が動作して実行される。
【００４８】
一方、ＳＴ４では、第２流量データが５０％以上で、圧力値データが２０ｋＰａ以上であるか否かが判断される。
具体的には、図３のチューブアラーム判断部（プログラム）３２が動作し、図４の第２流量データ格納部５１の第２流量データと、圧力値データ格納部５２の圧力値データを参照して判断する。特に、第２流量データに関しては、基準となる流量データと比較することで５０％以下か否かを判断する。
ＳＴ２で、第２流量データが、基準となる流量データの５０％以下で、圧力値データが２０ｋＰａである場合は、カニューラやチューブの折れによる不具合が発生していると判断し、ＳＴ８へ進む。
【００４９】
ＳＴ８では、ＳＴ６の要連絡アラームランプ又はＳＴ７の電源アラームランプが点灯しているか否かが判断される。
具体的には、図３のチューブアラーム判断部（プログラム）３２が動作し、図２の要連絡アラーム表示部８ａ又は電源アラーム表示部６ａのランプ等が点灯しているか否かを判断する。
そして、図２の要連絡アラーム表示部８ａと電源アラーム表示部６ａのランプ等が共に点灯していない場合にのみ、ＳＴ１１へ進み、要連絡アラーム表示部８ａ又は電源アラーム表示部６ａのランプ等が点灯している場合は、ＳＴ４へ戻る。
【００５０】
ＳＴ１１では、チューブアラームランプを点灯させると共にブザー音を出力する。具体的には、チューブアラーム判断部（プログラム）３２が動作し、図２のチューブアラーム表示部５ａのランプ等を点灯させると共に、音声出力装置２４からブザー音やチャイム音等を出力する。
すなわち、ＳＴ１１では、図１のチューブが折れ曲がった絵等が点灯し、ブザー音等が出力された状態となる。
【００５１】
このとき、酸素濃縮装置１の使用者は、ブザー音によって装置に不具合等が発生したことを察知することができる。また、使用者は、図１の操作部２の点灯しているチューブアラーム表示部５ａを視認することで、チューブ等に不具合が生じていること確認することができる。
【００５２】
このように、本実施の形態では、ＳＴ４でチューブ等に不具合等が発生していると判断した場合でも、より重大な不具合等が生じていることを示す要連絡アラーム表示部８ａ又は電源アラーム表示部６ａが点灯している場合は、図２のチューブアラーム表示部６ａのランプ等が点灯しない構成となっている。
このように、本実施の形態では、アラームの重大性に優先順位を付けて、より重大な不具合等を示すアラームを優先的に点灯させ、その場合は、他のアラームを敢えて点灯させない構成となっている。このため、利用者に優先的に対応すべきアラームを示すことができ、利用者も冷静に対応し易い酸素濃縮装置１となっている。
アラームの優先順位は、例えば、１番目が要連絡アラーム、次いで、電源アラーム、その次が、チューブアラーム、さらに加湿瓶アラームとなっている。
【００５３】
次いで、ＳＴ１５へ進む。ＳＴ１５では、チューブアラームガイドスイッチ５ｂが押下されたか否かが判断される。
具体的に、チューブアラーム判断部（プログラム）３２が動作し、図２のチューブアラームガイドスイッチ５ｂが押下され、オン（ＯＮ）状態となったか否かが判断される。
チューブアラームガイドスイッチ５ｂは、上述のように、図１のチューブの折れた絵等の部分を使用者が押下げると、スイッチがオン（ＯＮ）状態となる構成となっている。
したがって、ＳＴ１５では、使用者が、図１のチューブの折れた絵等の部分を押下げたか否かが判断されることになる。
【００５４】
ＳＴ１５で、チューブアラームガイドスイッチ５ｂがオン（ＯＮ）状態となると、ＳＴ９へ進み、音声出力装置２４からチューブアラームガイダンス音声を出力する。
具体的には、チューブアラームガイドスイッチ５ｂがオン（ＯＮ）状態となると、図３の音声出力判断部（プログラム）３６が動作し、図４のチューブアラームガイダンス音声データ格納部５８内のデータを参照して、そのデータ内容を図２の音声出力装置２４から音声として出力する。
このチューブアラームガイダンス音声データとしては、例えば「酸素流量が低下しています。カニューラとチューブの折れを確認してください。」等である。
したがって、この音声を聞いた使用者は、酸素濃縮装置１の不具合等の対処方法を迅速に知ることができることになる。
【００５５】
このように、ＳＴ１１で、チューブアラームランプの点灯を視認して、不具合等の箇所を把握できた使用者は、従来のように、取扱説明書等を調べたり、電話等で専門家等に尋ねたりすることなく、単に、点灯しているチューブアラーム表示部５ａの表面を押下するだけで、その対処方法を音声ガイダンスで取得することができる。
このように、本実施の形態では、極めて容易且つ迅速に不具合等の対処方法を知ることができ、その対処をすることができるので、極めて使い易い酸素濃縮装置１となっている。
【００５６】
次いで、ＳＴ２１で、ＳＴ１と同様に第２流量データ等を取得し、ＳＴ２４でＳＴ４と同様の判断をし、流量データが５０％以下で、圧力値が２０ｋＰａ以上ではない場合は、すでに不具合等の状態を脱したと判断し、ＳＴ２８で、チューブアラームランプを消灯させて、終了する。これは、チューブアラーム判断部（プログラム）３２等が動作して実行される。
【００５７】
一方、ＳＴ５では、第２流量データが５０％以下で、圧力値データが２０ｋＰａ以下であるかが判断される。
具体的には、図３の加湿瓶アラーム判断部（プログラム）３４が動作して、図４の第２流量データ格納部５１の第２流量データと、圧力値データ格納部５２の圧力値データを参照して判断する。
ＳＴ５で、第２流量データが５０％以下で、圧力値データが２０ｋＰａ以下であると判断された場合は、図２の脱着式加湿瓶２１に不具合等が発生していると判断し、ＳＴ９へ進む。
【００５８】
ＳＴ９では、ＳＴ６の要連絡アラームランプ、ＳＴ７の電源アラームランプ又はＳＴ８のチューブアラームランプが点灯しているか否かが判断される。
具体的には、図３の加湿瓶アラーム判断部（プログラム）３４が動作し、図２の要連絡アラーム表示部８ａ、電源アラーム表示部６ａ又はチューブアラーム表示部５ａのランプ等が点灯しているか否かを判断する。
そして、図２の要連絡アラーム表示部８ａ、電源アラーム表示部６ａ及びチューブアラーム表示部５ａの各ランプ等が全て点灯していない場合にのみ、ＳＴ１２へ進み、要連絡アラーム表示部８ａ、電源アラーム表示部６ａ又はチューブアラーム表示部５ａのいずれかがランプ等が点灯している場合は、ＳＴ５へ戻る。
【００５９】
ＳＴ１２では、加湿瓶アラームランプを点灯させると共にブザー音を出力する。具体的には、加湿瓶アラーム判断部（プログラム）３４が動作し、図２の加湿瓶アラーム表示部７ａのランプ等を点灯させると共に、音声出力装置２４からブザー音やチャイム音等を出力する。
【００６０】
このとき、酸素濃縮装置１の使用者は、ブザー音によって装置に不具合等が発生したことを察知することができる。また、使用者は、図１の操作部２の点灯している加湿瓶アラーム表示部７ａを視認することで、脱着式加湿器２１等に不具合が生じていること確認することができる。
【００６１】
このように、本実施の形態では、アラームの重大性に優先順位を付けて、より重大な不具合等を示すアラームを優先的に点灯させ、その場合は、他のアラームを敢えて点灯させない構成となっている。このため、利用者に優先的に対応すべきアラームを示すことができ、利用者も冷静に対応し易い酸素濃縮装置１となっている。
【００６２】
次いで、ＳＴ１６へ進む。ＳＴ１６では、加湿瓶アラームガイドスイッチ７ｂが押下されたか否かが判断される。
具体的に、加湿瓶アラーム判断部（プログラム）３４が動作し、図２の加湿瓶アラームガイドスイッチ７ｂが押下され、オン（ＯＮ）状態となったか否かが判断される。
加湿瓶アラームガイドスイッチ７ｂは、上述のように、図１の加湿瓶の絵等の部分を使用者が押下げると、スイッチがオン（ＯＮ）状態となる構成となっている。
したがって、ＳＴ１６では、使用者が、図１の加湿瓶の絵等の部分を押下げたか否かが判断されることになる。
【００６３】
ＳＴ１６で、加湿瓶アラームガイドスイッチ７ｂがオン（ＯＮ）状態となると、ＳＴ１６へ進み、音声出力装置２４から電源アラームガイダンス音声を出力する。
具体的には、加湿瓶アラームガイドスイッチ７ｂがオン（ＯＮ）状態となると、図３の音声出力判断部（プログラム）３６が動作し、図４の加湿瓶アラームガイダンス音声データ格納部６０内のデータを参照して、そのデータ内容を図２の音声出力装置２４から音声として出力する。
この加湿瓶アラームガイダンス音声データとしては、例えば「酸素流量が低下しています。加湿瓶を確認してください。」等である。
したがって、この音声を聞いた使用者は、酸素濃縮装置１の不具合等の対処方法を迅速に知ることができることになる。
【００６４】
このように、ＳＴ１２で、加湿瓶アラームランプの点灯を視認して、不具合等の箇所を把握できた使用者は、従来のように、取扱説明書等を調べたり、電話等で専門家等に尋ねたりすることなく、単に、点灯している加湿瓶アラーム表示部７ａの表面を押下するだけで、その対処方法を音声ガイダンスで取得することができる。
【００６５】
次いで、ＳＴ２１で、ＳＴ１と同様に流量データ等を取得し、ＳＴ２５でＳＴ５と同様の判断をし、第２流量データが５０％以下で、圧力値が２０ｋＰａ以下ではない場合は、すでに不具合等の状態を脱したと判断し、ＳＴ２９で、加湿瓶アラームランプを消灯させて、終了する。これは、加湿瓶アラーム判断部（プログラム）３４等が動作して実行される。
【００６６】
このように、チューブアラームガイダンス音声データ格納部５８等内のデータが、対処情報格納部内の対処情報の一例である。また、本実施の形態では、警報表示部である例えば、チューブアラーム表示部５等の少なくとも一部を操作することで、対処情報であるチューブアラームガイダンス音声データ５８を音声出力装置２４が出力させるためのスイッチ部であるチューブアラームガイドスイッチ５ｂ等を動作させる構成となっている。
また、ブザー音やチャイム音等が、警報表示音声情報の一例となっている。
【００６７】
また、本実施の形態では、図１等に示すように、その警報であるアラームの種類、例えば４種類（チューブアラーム、電源アラーム、加湿瓶アラーム及び要連絡アラーム）のアラームについて、その種類毎に別個のチューブアラーム表示部５ａ等が配置されている。
このため、使用者が発生したアラームの種類を迅速且つ迷うことなく把握することができる。そして、使用者は、その点灯しているチューブアラーム表示部５ａ等を、指等で押下するだけで、その対処方法がガイダンスされるので、発生している不具合等に合致した対処方法を間違えることなく取得することができる。
【００６８】
また、これらの各アラームには優先順位が設けられており、その優先順位が高い（重大性が高い）アラームが点灯等したときは、優先順位の低い他のアラームは点灯等しない構成となっているので、利用者が優先順位の高いアラームから順番に、冷静に対処することができる構成となっている。
【００６９】
また、本実施の形態では、使用者が自身で具体的に対処可能な不具合（チューブアラーム、電源アラーム及び加湿瓶アラーム等）と、電話で専門家等に尋ねるべき不具合（要連絡アラーム）とを分けて表示し、使用者に示すことができるので、使用者が極めて対処し易い酸素濃縮装置１となっている。
なお、本発明は、上述の各実施の形態に限定されない。
【符号の説明】
【００７０】
１・・・酸素濃縮装置、２・・・操作部、３ａ、３ｂ・・・酸素流量設定ボタン、３ｃ・・・酸素流量表示部、４・・・電源スイッチ、５・・・チューブアラーム兼ガイドスイッチ、６・・・電源アラーム兼ガイドスイッチ、７・・・加湿瓶アラーム兼ガイドスイッチ、８・・・要連絡アラーム兼ガイドスイッチ、９・・・酸素濃度低下表示部、１０・・・充電表示部、１１・・・メイン制御ＣＰＵ、１２・・・空気取入口、１３・・・コンプレッサ、１４・・・モータ、１５・・・温度測定部、１６ａ、１６ｂ・・・切換弁、１７ａ・・・第１吸着筒体、１７ｂ・・・第２吸着筒体、１８・・・バッファ、１９・・・流量圧力調整器、２０・・・濃度センサ、２１・・・脱着式加湿器、２２・・・流量センサ、２３・・・排気口、２４・・・音声出力装置、２５・・・プラグ、３０・・・第１の記憶部、３１・・・各種データ取得部（プログラム）、３２・・・チューブアラーム判断部（プログラム）、３３・・・電源アラーム判断部（プログラム）、３４・・・加湿瓶アラーム判断部（プログラム）、３５・・・要連絡アラーム判断部（プログラム）、３６・・・音声出力判断部（プログラム）５０・・・第２の記憶部、５１・・・第２流量データ格納部、５２・・・圧力値データ格納部、５３・・・電源スイッチデータ格納部、５４・・・電圧データ格納部、５５・・・モータ回転数データ格納部、５６・・・温度データ格納部、５７・・・酸素濃度データ格納部、５８・・・チューブアラームガイダンス音声データ格納部、５９・・・電源アラームガイダンス音声データ格納部、６０・・・加湿瓶アラームガイダンス音声データ格納部、６１・・・要連絡アラームガイダンスガイダンス音声データ格納部
【図１】
0005524528.tif 000002
【図２】
0005524528.tif 000003
【図３】
0005524528.tif 000004
【図４】
0005524528.tif 000005
【図５】
0005524528.tif 000006
【図６】
0005524528.tif 000007